(57)【要約】【課題】  印刷時に印刷装置側に常駐しなくても印刷物が他人に持ち去られることを防止できる印刷装置を提供する。【解決手段】  機密情報を印刷するセキュリティモードと、印刷物が排紙トレイから回収されたことを検出するセンサーと、セキュリティモードで印刷された場合に、他の通常印刷モードの印刷が完了して印刷物が全て回収されたことを検出してセキュリティ印刷を開始する一方、セキュリティモードで印刷した印刷物が回収されるまで、次の印刷を開始しない印刷装置において、前記セキュリティモードの印刷ジョブを受け付けたときに、排紙トレイの角度を変更する手段を備えることを特徴とするものである。【選択図】  図１
2010149446.tif 000002
【特許請求の範囲】
【請求項１】
機密情報を印刷するセキュリティモードと、印刷物が排紙トレイから回収されたことを検出するセンサーと、セキュリティモードで印刷された場合に、他の通常印刷モードの印刷が完了して印刷物が全て回収されたことを検出してセキュリティ印刷を開始する一方、セキュリティモードで印刷した印刷物が回収されるまで、次の印刷を開始しない印刷装置において、
前記セキュリティモードの印刷ジョブを受け付けたときに、排紙トレイの角度を変更する手段を備えることを特徴とする印刷装置。
【請求項２】
前記セキュリティモードの印刷ジョブを受け付けたときに、排紙トレイに紙があった場合は、排紙トレイの角度を変更することで紙を別のトレイに移す手段を備えることを特徴とする請求項１の印刷装置。
【請求項３】
前記セキュリティ印刷で出力した印刷物を自動的に格納するためのボックスと格納手段を有しており、格納したボックスから取り出すためにはパスワードを必要とすることを特徴とする請求項１又は２に記載の印刷装置。
【請求項４】
前記セキュリティモードで印刷した印刷物を格納するボックスを複数有する格納庫を持ち、セキュリティモード印刷が完了するとユーザーにどのボックスに格納されたかを示すボックス番号を通知して、印刷物を取り出す際にはボックス番号とパスワードが必要になることを特徴とする請求項３記載の印刷装置。
【請求項５】
前記セキュリティ印刷時は排紙トレイを自動的にカバーで覆い、他者が印刷物を印刷中に取り出すことを防止することを特徴とする請求項４の印刷装置。
【発明の詳細な説明】
【技術分野】
【０００１】
本発明は、機密情報を印刷する専用のモードを備えた印刷装置に関するものである。
【背景技術】
【０００２】
従来、機密情報などを印刷する場合、印刷時にユーザーＩＤやパスワードを送信し、即時に印刷ジョブを実行せずに、これをＨＤＤなどに蓄積する。次にユーザーが印刷装置側でパスワード入力を実施して、これが正しければ機密情報の印刷を実行していた。さらに、印刷物が持ち去られるようなことがないような技術として特許文献１の発明がある。この発明では印刷装置の排紙トレイにセンサーを備えて、排紙トレイ上の紙の有無を確認して、紙がない場合に機密情報を印刷する。これにより、機密情報を印刷するユーザーは印刷装置側に常駐して、排紙トレイから１枚１枚印刷物を回収しなくてはならず、印刷物を放置することがなくなる。これにより、機密情報が印刷された紙が他者によって持ち去られることを防ぐことが出来る。
【０００３】
【特許文献１】特開２００７−６６２０８号公報
【発明の開示】
【発明が解決しようとする課題】
【０００４】
しかしながら、特許文献１で開示された発明は一度印刷を開始すると印刷終了まで印刷装置側に常駐して１枚１枚印刷用紙を排紙トレイから取らなければならず、印刷枚数が多い場合は時間がかかり、非常に面倒である。特許文献１の発明では排紙トレイ上の紙を検出する回数を設定することで、この面倒な仕事を減らすことをしているが、印刷中にどうしても印刷装置を離れなければならない場合は、印刷が止まってしまうので次の印刷ジョブ待ちのユーザーに迷惑をかけてしまう。さらに、印刷途中の機密情報を印刷した紙が持ち去られてしまう可能性がある。
【０００５】
本発明の目的は、セキュリティモードで印刷した紙を自動的に格納庫へ格納してパスワードでロックすることで、印刷時に印刷装置側に常駐しなくても印刷物が他人に持ち去られることを防止できる印刷装置を提供することにある。
【課題を解決するための手段】
【０００６】
前記目的を達成するために、本発明の第１の手段は、機密情報を印刷するセキュリティモードと、印刷物が排紙トレイから回収されたことを検出するセンサーと、セキュリティモードで印刷された場合に、他の通常印刷モードの印刷が完了して印刷物が全て回収されたことを検出してセキュリティ印刷を開始する一方、セキュリティモードで印刷した印刷物が回収されるまで、次の印刷を開始しない印刷装置において、前記セキュリティモードの印刷ジョブを受け付けたときに、排紙トレイの角度を変更する手段を備えることを特徴とするものである。
【０００７】
本発明の第２の手段は前記第１の手段において、前記セキュリティモードの印刷ジョブを受け付けたときに、排紙トレイに紙があった場合は、排紙トレイの角度を変更することで紙を別のトレイに移す手段を備えることを特徴とするものである。
【０００８】
本発明の第３の手段は前記第２の手段において、前記セキュリティ印刷で出力した印刷物を自動的に格納するためのボックスと格納手段を有しており、格納したボックスから取り出すためにはパスワードを必要とすることを特徴とするものである。
【０００９】
本発明の第４の手段は前記第３の手段において、前記セキュリティモードで印刷した印刷物を格納するボックスを複数有する格納庫を持ち、セキュリティモード印刷が完了するとユーザーにどのボックスに格納されたかを示すボックス番号を通知して、印刷物を取り出す際にはボックス番号とパスワードを必要になることを特徴とするものである。
【００１０】
本発明の第５の手段は前記第４の手段において、前記セキュリティ印刷時は排紙トレイを自動的にカバーで覆い、他者が印刷物を印刷中に取り出すことを防止することを特徴とするものである。
【発明の効果】
【００１１】
本発明は前述のような構成になっており、セキュリティモードで印刷した紙を自動的に格納庫へ格納してパスワードでロックすることで、印刷時に印刷装置側に常駐しなくても印刷物が他人に持ち去られることを防止できる。さらに、機密情報印刷時に排紙トレイをカバーが覆うことで、印刷途中の紙が持ち去られることを防止出来る。
【発明を実施するための最良の形態】
【００１２】
本発明の実施形態について説明する。図１は、本発明の実施形態を示す構成図である。本実施例に係るプリンタは、ホストＰＣ１００上のプリンタドライバからセキュリティ印刷ジョブを発行する。印刷ジョブを発行する際はプリンタドライバでパスワードを設定する。プリンタコントローラ１０１はセキュリティ印刷ジョブを受け付けると、排紙トレイ１０３上に紙があるかどうかをセンサー１０５で検出する。紙が排紙トレイ１０３上にある場合、プリンタコントローラ１０１は紙を別の排紙トレイ１１０に移すための命令を排紙トレイ制御部１０８に送信する。
【００１３】
命令を受信した排紙トレイ制御部１０８は、排紙トレイ位置制御部１０６に対して排紙トレイ１０３の角度を下に向けるように命令を送信する。命令を受けた排紙トレイ位置制御部１０６は排紙トレイ１０３を下に向けて印刷物を排紙回収トレイ１１０に移動させる。再度、排紙トレイ１０３上に紙があるかどうか確認して、紙が排紙トレイ１０３上にない場合はセキュリティ印刷が実行される。セキュリティ印刷が実行されると、プリンタコントローラ１０１は排紙トレイカバー制御部１０７にセキュリティ印刷開始命令を送り、排紙トレイ１０３上を排紙トレイカバー１０５が自動的に覆う。次に、プリンタコントローラ１０１が排紙トレイ制御部１０８に開始命令を送り、排紙トレイ１０３の角度を地面に対して０度にして、ローラー１０４を駆動させる。
【００１４】
そして、プリンタエンジン１０２が印刷を開始して、出力された紙が排紙トレイ１０３上のローラー１０４で機密情報格納庫１１１へ送られる。ローラー１０４はプリンタエンジン１０２が要求枚数分印刷し終わって、排紙トレイ１０３上のセンサー１０５で全ての印刷物が排紙トレイ１０３上に無くなったと検知したら動作停止する。機密情報格納庫１１１は送られてきた全ての紙を受け取り、ボックス１（１１４）へ格納する。更に、印刷物に触ることができないように格納庫制御部１１３にシャッター１１２を閉じるように命令を送り、シャッター１１２が閉じる。
【００１５】
セキュリティ印刷が終了すると、印刷物が格納されたボックスを示すボックス番号がホストＰＣへ送信される。ユーザーはボックス番号を確認して、操作パネル１０９で印刷時に送信したパスワードとボックス番号を入力するとボックス１の取り出し口シャッター１１７が開く。
【００１６】
図１の実施例では、機密情報格納庫１１１は印刷物を格納するためのボックスを３つ備えているので、ボックス１（１１４）が使用中のときにセキュリティ印刷を実行すると、印刷物はボックス２（１１５）かボックス３（１１６）に格納される。
【００１７】
パネル１０９は機密情報格納庫１１１に持ってもよい。パスワードは印刷装置側で設定出来るようにしてもよい。
【図面の簡単な説明】
【００１８】
【図１】本発明の実施例に係る印刷装置の構成図である。
【符号の説明】
【００１９】
１００・・・ホストＰＣ、１０１・・・プリンタコントローラ、１０２・・・プリンタエンジン、１０３・・・排紙トレイ、１０４・・・ローラー、１０５・・・センサー、１０６・・・排紙トレイ位置制御部、１０７・・・排紙トレイカバー制御部、１０８・・・排紙トレイ制御部、１１０・・・排紙トレイ、１１１・・・機密情報格納庫、１１２・・・シャッター・１１３・・・格納庫制御部、１１４・・・ボックス１。
【図１】
2010149446.tif 000003